(57)【要約】      （修正有）【課題】ネットワーク環境にかかわらず操作者が被検者の撮影画像を確認しながらＸ線撮影を行うことを可能にするＸ線撮影装置を提供する。【解決手段】被検者及びＸ線画像の撮影条件を特定する１以上の撮影指示を取得する。被検者を撮影して得られた画像と、画像の被検者及び撮影条件を示す撮影情報と、を取得し、取得された画像及び撮影情報を格納する。１以上の撮影指示の中から１つを選択する。撮影指示を選択する前に格納されている被検者の画像から、選択された撮影指示により特定された被検者及び撮影条件に対応する画像を選択してユーザに提示する。【選択図】図１
2015196073.tif 000002
【特許請求の範囲】
【請求項１】
被検者のＸ線画像を撮影するＸ線撮影装置であって、
被検者及び前記Ｘ線画像の撮影条件を特定する１以上の撮影指示を取得する指示取得手段と、
前記被検者を撮影して得られた画像と、当該画像の被検者及び撮影条件を示す撮影情報と、を外部装置から取得し、当該取得された画像及び撮影情報を格納手段に格納する画像取得手段と、
前記１以上の撮影指示の中から１つを選択する指示選択手段と、
前記撮影指示を選択する前に前記格納手段に格納されている前記被検者の画像から、前記選択された前記撮影指示により特定された被検者及び撮影条件に対応する画像を選択してユーザに提示する提示手段と、
を備えることを特徴とするＸ線撮影装置。
【請求項２】
前記画像取得手段は、前記指示取得手段により取得された撮影指示により特定された被検者及び撮影条件に対応する画像を、選択的に外部装置から取得することを特徴とする、請求項１に記載のＸ線撮影装置。
【請求項３】
前記画像取得手段は、前記指示取得手段により取得された撮影指示のうち、撮影条件が所定の条件に合致する撮影指示を抽出し、当該撮影指示により特定された被検者及び撮影条件に対応する画像を、選択的に外部装置から取得することを特徴とする、請求項１に記載のＸ線撮影装置。
【請求項４】
前記画像取得手段は、前記指示取得手段が前記撮影指示を取得した直後に、前記画像を外部装置から取得することを特徴とする、請求項１乃至３の何れか１項に記載のＸ線撮影装置。
【請求項５】
前記画像取得手段は、前記指示取得手段が前記撮影指示を取得すると、外部からの指示を受けることなく前記画像を外部装置から取得することを特徴とする、請求項１乃至４の何れか１項に記載のＸ線撮影装置。
【請求項６】
前記画像取得手段は、前記指示取得手段が取得した撮影指示のうち、ユーザによって指定された撮影指示により特定された被検者及び撮影条件に対応する画像を、選択的に外部装置から取得することを特徴とする、請求項１に記載のＸ線撮影装置。
【請求項７】
前記選択された画像をユーザに提示した後に、前記撮影指示及び前記ユーザの指示に従ってＸ線画像を撮影し、当該撮影されたＸ線画像を前記格納手段に格納する撮影手段をさらに備えることを特徴とする、請求項１乃至６の何れか１項に記載のＸ線撮影装置。
【請求項８】
前記撮影手段により撮影されたＸ線画像を前記外部装置へと送信する送信手段をさらに備えることを特徴とする、請求項７に記載のＸ線撮影装置。
【請求項９】
前記外部装置は他のＸ線撮影装置であることを特徴とする、請求項８に記載のＸ線撮影装置。
【請求項１０】
前記撮影指示及び前記ユーザの指示に従ってＸ線画像を撮影した後に、当該撮影指示により特定された被検者及び撮影条件に対応する画像を前記格納手段から削除する管理手段をさらに備えることを特徴とする、請求項７乃至９の何れか１項に記載のＸ線撮影装置。
【請求項１１】
前記提示手段は、前記選択された前記撮影指示により特定された被検者及び撮影条件に対応する画像が前記格納手段に格納されていない場合、当該撮影指示により特定された撮影条件により撮影される画像の例を示す参照画像を前記格納手段から選択してユーザに提示することを特徴とする、請求項１乃至１１の何れか１項に記載のＸ線撮影装置。
【請求項１２】
前記画像取得手段は、前記指示取得手段により取得された撮影指示により特定された被検者及び撮影条件に対応する画像が外部装置に存在しない場合に、当該撮影指示により特定された撮影条件により撮影される画像の例を示す参照画像を外部装置から取得して前記格納手段に格納することを特徴とする、請求項１１に記載のＸ線撮影装置。
【請求項１３】
Ｘ線撮影装置の動作方法であって、
被検者及び撮影条件を特定する１以上の撮影指示を取得する指示取得工程と、
前記被検者を撮影して得られた画像と、当該画像の被検者及び撮影条件を示す撮影情報と、を外部装置から取得し、当該取得された画像及び撮影情報を格納手段に格納する画像取得工程と、
前記１以上の撮影指示の中から１つを選択する指示選択工程と、
前記撮影指示を選択する前に前記格納手段に格納されている前記被検者の画像から、前記選択された前記撮影指示により特定された被検者及び撮影条件に対応する画像を選択してユーザに提示する提示工程と、
を備えることを特徴とする動作方法。
【請求項１４】
Ｘ線撮影装置が有するコンピュータに、請求項１３に記載のＸ線撮影装置の動作方法の各工程を実行させるための、コンピュータプログラム。
【発明の詳細な説明】
【技術分野】
【０００１】
本発明は、Ｘ線撮影装置及びその動作方法、並びにプログラムに関し、特に、撮影の参考とするために被検者について撮影されている画像を呼び出す技術に関する。
【背景技術】
【０００２】
医療用のＸ線撮影装置として、特許文献１に記載されているように、固体撮像装置を用いてディジタル画像を撮影するものが開発されている。このようにして取得したディジタル画像を用いることにより、ファイリングの効率化、遠隔診断の実用化、及び診療技術・効率の改善がなされている。また、特許文献２に記載されているように、固体撮像装置が搭載された可搬型のＸ線撮影装置も開発されている。このような固体撮像装置を用いると、足が悪く動けない被検者のベッドサイドまで移動して、撮影を行うことが可能である。
【先行技術文献】
【特許文献】
【０００３】
【特許文献１】特開平９−０９８９７０号公報
【特許文献２】特開２０１１−４１８１２号公報
【発明の概要】
【発明が解決しようとする課題】
【０００４】
Ｘ線撮影を行う場合、特に可搬型のＸ線撮影装置を用いる場合には、ポジショニング及び撮影条件を揃えて撮影することが重要である。特に整形外科の領域においては、骨折した骨を固定するためのプレートの位置を前回の撮影と揃えることが、読影上重要である。
【０００５】
しかしながら、特に可搬型のＸ線撮影装置を用いてネットワークと接続されない状態で回診する場合には、過去の撮影画像をサーバから取得できないため、過去の撮影時におけるポジショニングを確認するために過去の撮影画像を表示することができなかった。例えば、ネットワークケーブルを介して通信を行うＸ線撮影装置を用いて病室で撮影を行う場合、病室にネットワーク環境がなければ通信を行うことができない。また、Ｘ線撮影装置が無線通信可能であったとしても、無線が届かない場所や無線が使えない場所では、通信を行うことができない。さらには、ネットワークに常時接続可能なＸ線撮影装置であっても、サーバからネットワーク経由で画像取得するのに時間がかかることがあり、検査中に過去画像を取得しようとすると迅速に検査できず被検者を待たせてしまうことにつながっていた。
【０００６】
本発明は、ネットワーク環境にかかわらず操作者が被検者の撮影画像を確認しながらＸ線撮影を行うことを可能にすることを目的とする。
【課題を解決するための手段】
【０００７】
本発明の目的を達成するために、例えば、本発明のＸ線撮影装置は以下の構成を備える。すなわち、
被検者のＸ線画像を撮影するＸ線撮影装置であって、
被検者及び前記Ｘ線画像の撮影条件を特定する１以上の撮影指示を取得する指示取得手段と、
前記被検者を撮影して得られた画像と、当該画像の被検者及び撮影条件を示す撮影情報と、を外部装置から取得し、当該取得された画像及び撮影情報を格納手段に格納する画像取得手段と、
前記１以上の撮影指示の中から１つを選択する指示選択手段と、
前記撮影指示を選択する前に前記格納手段に格納されている前記被検者の画像から、前記選択された前記撮影指示により特定された被検者及び撮影条件に対応する画像を選択してユーザに提示する提示手段と、
を備えることを特徴とする。
【発明の効果】
【０００８】
ネットワーク環境にかかわらず操作者が被検者の撮影画像を確認しながらＸ線撮影を行うことを可能とする。
【図面の簡単な説明】
【０００９】
【図１】実施形態１に係るＸ線撮影装置を示す図。
【図２】実施形態１に係るＸ線撮影装置の機能ブロック図。
【図３】撮影オーダを表示する選択画面の一例を示す図。
【図４】撮影可能状態で表示される撮影画面の一例を示す図。
【図５】撮影オーダの一例を示す図。
【図６】実施形態１に係る処理のフローチャート。
【図７】実施形態２に係るＸ線撮影装置の機能ブロック図。
【図８】実施形態１に係る処理のフローチャート。
【図９】実施形態３に係るＸ線撮影装置を示す図。
【図１０】一実施形態に係る回診車の構成例を示す図。
【図１１】一実施形態に係る回診車の支柱部の構成例を示す図。
【図１２】一実施形態に係る第一支柱と第二支柱との共通部分の構成例を示す図。
【図１３】別の実施形態に係る第一支柱と第二支柱との共通部分の構成例を示す図。
【発明を実施するための形態】
【００１０】
以下、本発明の実施形態を図面に基づいて説明する。ただし、本発明の範囲は以下の実施形態に限定されるものではなく、その要旨の範囲内で種々の変形及び変更が可能である。
【００１１】
［実施形態１］
図１は、実施形態１に係るＸ線撮影装置１００と、Ｘ線撮影装置１００が接続される院内のネットワーク１１０とを示す。Ｘ線撮影装置１００は、被検者の透過画像、具体的にはＸ線画像を撮影することができる。Ｘ線撮影装置１００は可搬型であり、移動させることが可能である。Ｘ線撮影装置１００はネットワーク接続部８０を有しており、ネットワーク接続部８０を介してネットワーク１１０に接続することができる。本実施形態においては、ネットワークケーブルをネットワーク接続部８０に差し込むことにより、ネットワークケーブルを介してネットワーク１１０とＸ線撮影装置１００とが接続される。
【００１２】
Ｘ線撮影装置１００は、後述するように、Ｘ線発生ユニット、操作・表示ユニット、Ｘ線検出ユニット、及び制御ユニットを含んでいる。また、Ｘ線撮影装置１００は、後述するように、撮影画像記憶部７０と参照画像記憶部７２とを有している。
【００１３】
ネットワーク１１０には、ＨＩＳ（病院内情報システム）／ＲＩＳ（放射線科情報システム）１２０、ＰＡＣＳ（画像保存通信システム）１３０と接続している。ＨＩＳ／ＲＩＳ１２０は情報処理システムであって、医師が撮影オーダをＨＩＳ／ＲＩＳ１２０に入力すると、Ｘ線撮影装置１００はＨＩＳ／ＲＩＳ１２０から撮影オーダを取得することができる。ＰＡＣＳ１３０は、画像を管理するシステムであって、Ｘ線撮影装置１００の外部に位置し、画像を格納するサーバ、診断画像処理用ワークステーション、及び高精細モニタ等で構成されている。Ｘ線撮影装置１００は、撮影した撮影画像をＰＡＣＳ１３０に送信することにより、ＰＡＣＳ１３０に撮影画像を格納することができる。また、Ｘ線撮影装置１００は、ＰＡＣＳ１３０から過去に撮影された撮影画像を取得することができる。
【００１４】
図２は、Ｘ線撮影装置１００の構成を示すブロック図である。操作・表示ユニットは、操作・表示部６２を有する。操作・表示部６２は、撮影した画像、Ｘ線撮影装置１００の操作のためのユーザインタフェース、Ｘ線撮影装置１００の状態等の各種情報を表示することができる。また、操作・表示部６２は、Ｘ線撮影装置１００の操作卓として働き、Ｘ線撮影装置１００のユーザである操作者からの入力を受け付けることができる。操作・表示部６２は、例えばタッチセンサを備える液晶パネルでありうる。
【００１５】
Ｘ線発生ユニットは、Ｘ線を発生するＸ線管球１７１を有する。Ｘ線管球１７１は、制御ユニットに含まれるＸ線発生装置制御部６１により制御される。具体的には、Ｘ線発生装置制御部６１は、設定された管電流や管電圧、照射時間等の撮影条件に応じて、Ｘ線管球１７１に高電圧をかけてＸ線を発生させる。このような撮影条件は、操作・表示部６２を介して操作者が設定することができる。
【００１６】
Ｘ線検出ユニットは、Ｘ線検出装置１７２を有する。Ｘ線検出装置１７２は、Ｘ線管球１７１から放射され被検者１０９を透過したＸ線を検出する。Ｘ線検出装置１７２は、Ｘ線検出器１７３、露出制御装置（ＡＥＣ装置）、グリッド、及びＡ／Ｄ変換器を備えている。
【００１７】
Ｘ線検出器１７３は、ディジタル画像を得るためにＸ線を検出する。本実施形態において、Ｘ線検出器１７３は、Ｘ線を光に変換するシンチレーターと、光の強さに応じた電気信号を発生する固体撮像素子と、により構成されている。Ｘ線検出装置１７２は、立位架台や寝台架台に据え付けられる場合もあるが、本実施形態においては、Ｘ線検出装置１７２はカセッテ型の装置であり、被検者のベットサイドに持ち込めるものとする。
【００１８】
ＡＥＣ装置は、人体への被曝を極力小さくしながらも撮影に必要な量の放射線を適切に照射するために、照射された放射線を検出する。具体的には、ＡＥＣ装置はグリッドとＸ線検出器１７３の間に配置され、被検者１０９及びグリッドを透過した放射線の一部を検出して、検出により得られたＡＥＣ信号をＸ線発生装置制御部６１へと転送する。Ｘ線発生装置制御部６１は、転送されてきたＡＥＣ信号の積算値が閾値を超過すると、Ｘ線管球１７１からの放射線の発生を停止させる。このようにして、ＡＥＣ装置は放射線量を適切に制御する。グリッドは、散乱線を除去するためのものである。
【００１９】
Ｘ線管球１７１よりＸ線検出装置１７２にＸ線が入射すると、まず被検者１０９で発生した散乱Ｘ線がグリッドで除去される。グリッドを透過したＸ線はシンチレーターで光に変換され、固体撮像素子で光の強さに応じた電気信号が発生する。発生した電気信号は、Ａ／Ｄ変換器によりディジタル信号へと変換され、こうしてディジタルＸ線画像が得られる。
【００２０】
制御ユニットは、撮影オーダ受信部５０、過去画像取得部５１、過去画像受信部５２、過去画像管理部５３、過去画像呼出部５４、画像取込制御部５５、画像処理部５６、Ｘ線撮影装置制御部５７、及び画像転送部５８を備える。制御ユニットはさらに、撮影画像記憶部７０及び過去画像記憶部７１を備える。これらの各部の詳細については、図６のフローチャートを参照しながら詳しく説明する。
【００２１】
Ｘ線撮影装置制御部５７による制御に従って、Ｘ線検出装置１７２から得られたディジタル画像信号の読み取り、所定の画像処理、並びに画像表示又は画像出力等が行われる。このような制御ユニットは、プロセッサ及びメモリを備える汎用のコンピュータを用いて実現することができる。すなわち、前述の及び後述する処理を実行させる命令を含むコンピュータプログラムを格納した記憶媒体から、このプログラムをメモリへとロードする。そして、プロセッサがメモリにロードされたプログラムに従って動作することにより、制御ユニットの動作を実現することができる。
【００２２】
図３及び図４は、操作・表示部６２に表示される画面の例である。図３は、操作者が撮影条件を選択するための選択画面である。選択画面には、メッセージ・状態表示領域３０、撮影条件ボタン３１、撮影条件表示領域３２、被検者情報表示領域３４、被検者リスト２０、リスト更新ボタン２１、及び撮影開始ボタン２２が含まれる。選択画面の表示は、ＨＩＳ／ＲＩＳ１２０よりネットワーク１１０を介して送られてきた撮影オーダに応じて行われる。
【００２３】
被検者リスト２０には、ＨＩＳ／ＲＩＳ１２０よりネットワーク１１０を介して送られてきた撮影オーダに基づく被検者情報が表示される。撮影オーダとは、医師によるＸ線撮影指示であり、被検者と、撮影条件とが特定されている。
【００２４】
被検者リスト２０の中から所望の被検者を選択すると、その被検者についての撮影オーダに含まれる撮影条件に対応する撮影条件ボタン３１が、撮影条件表示領域３２に表示される。図３の場合、上腕骨Ａ−Ｐ撮影及び上腕骨Ｌ−Ｒ撮影のそれぞれに対応する撮影条件ボタン３１が表示されている。メッセージ・状態表示領域３０には、Ｘ線撮影装置１００からのメッセージ又はＸ線撮影装置１００の状態等が表示される。被検者情報表示領域３４には、被検者リスト２０から選択された被検者についての被検者情報が表示されている。リスト更新ボタン２１は、ＨＩＳ／ＲＩＳ１２０から最新の撮影オーダを受信し、選択画面を更新するためのボタンである。
【００２５】
図３において、被検者を選択して撮影開始ボタン２２を押下すると、図４の撮影画面に遷移するとともに、Ｘ線撮影装置１００は撮影可能状態に入る。本実施形態においては、操作者が撮影条件ボタン３１を押すことにより、撮影条件を選択することができる。また、それぞれの撮影条件毎に（撮影部位及び撮影手技毎に）、各種撮影パラメータがプリセットされている。このため、撮影条件を選択することにより、自動的に撮影パラメータが決定される。撮影画面が表示されている状態で、Ｘ線撮影装置１００が備えるＸ線照射ボタン（不図示）を押下すると、Ｘ線が照射されるとともに撮影が行われる。
【００２６】
図４の撮影画面には、選択画面と同様に、メッセージ・状態表示領域３０、撮影条件ボタン３１、撮影条件表示領域３２、及び被検者情報表示領域３４が含まれる。撮影画面にはさらに、画像表示領域３３、撮影条件表示領域３５、撮影条件変更ボタン３６、撮影終了ボタン３９、過去画像呼び出しボタン４０、及び過去撮影条件表示領域４１が含まれる。
【００２７】
撮影画面には、被検者について過去に撮影された撮影画像を表示することができる。本実施形態においては、過去画像呼び出しボタン４０を押すと、画像表示領域３３に、被検者について、今回用いる撮影条件に従って撮影された過去の撮影画像が表示される。図４の画像表示領域３３には、図３において選択された、被検者ＩＤ：００１００、患者名：鈴木花子、撮影部位：上腕骨に対応する、過去の撮影画像が表示されている。図４においては、過去に撮影した上腕骨Ａ−Ｐ撮影の撮影画像が表示されている。過去撮影条件表示領域４１には、画像表示領域３３に表示されている撮影画像を撮影した際に用いられた撮影条件が表示されている。
【００２８】
撮影条件表示領域３５には、初期値として、プリセットされている上腕骨Ａ−Ｐ撮影についてのデフォルトの撮影条件（管電圧５４ｋＶ、管電流１００ｍＡ、照射時間８０ｍｓｅｃ、ＳＯＤ９０ｃｍ）が表示される。ここで、ＳＯＤとはＳｏｕｒｃｅ  Ｔｏ  Ｏｂｊｅｃｔ  Ｄｉｓｔａｎｃｅの略であり、Ｘ線発生源と被検者間との距離のことである。ＳＯＤが異なることは画像の拡大率が異なることを意味し、ＳＯＤが短いほど拡大率が大きい。この撮影条件は、撮影条件変更ボタン３６を押すことにより変更可能である。全ての撮影を完了し、撮影可能状態から出るためには、撮影終了ボタン３９を押下する。
【００２９】
図５は、ＨＩＳ／ＲＩＳ１２０からＸ線撮影装置１００へと転送されてくる撮影オーダの一例を示す。図５に示す撮影オーダは、被検者情報と検査情報と撮影情報とを含んでおり、１つの被検者情報に対する複数の検査情報、及び１つの検査情報に対する複数の撮影情報を含むことが可能である。撮影情報は具体的には撮影条件を示している。１つの撮影情報と、対応する検査情報及び被検者情報との組み合わせは、医師による１つの撮影指示に対応し、１回の撮影における被検者と撮影条件との組み合わせを示している。図５の例においては、１つの撮影オーダにおいて、上腕骨Ａ−Ｐ撮影及び上腕骨Ｌ−Ｒ撮影を含む検査と、ＫＵＢ  Ａ−Ｐ撮影を含む検査と、がオーダされている。なお、ＫＵＢ撮影とは、Ｋｉｄｎｅｙ（腎臓）、Ｕｒｅｔｅｒ（尿管）、Ｂｌａｄｄｅｒ（膀胱）の略であり、腹部撮影に分類される撮影条件である。
【００３０】
被検者情報は、患者ＩＤ、患者名、性別、及び生年月日で構成されている。検査情報は、検査日時で構成されている。撮影情報は、プロトコルＩＤ、プロトコル名、モダリティ種別、撮影種別、及び詳細条件で構成されている。プロトコルＩＤは９桁のコードであり、検査部位コード、姿勢コード、及び照射方向コードの組み合わせにより構成されている。検査部位コード、姿勢コード、及び照射方向コードのそれぞれは、定義ファイルにより定義されている。プロトコル名は撮影プロトコルを示し、撮影部位名、撮影手技名、撮影方向等を組み合わせた名称が使用される。モダリティ種別は、撮影を行うために用いる装置の種別を表す。具体的には、ＤＩＣＯＭにおいてＣＲ（Ｃｏｍｐｕｔｅｄ  Ｒａｄｉｏｇｒａｐｈｙ）、ＤＸ（Ｄｉｇｉｔａｌ  Ｒａｄｉｏｇｒａｐｈｙ）、ＲＦ（Ｒａｄｉｏｇｒａｐｈｙ  Ｆｕｌｕｏｒｏｓｃｏｐｙ）、及びＣＴ（Ｃｏｍｐｕｔｅｄ  Ｔｏｍｏｇｒａｐｈｙ）等が定義されている。撮影種別は、立位での撮影か、臥位での撮影か、又はカセッテでの撮影か、を示している。
【００３１】
図６は、実施形態１における処理手順を示すフローチャートである。図６の処理を開始する前に、撮影依頼者である医師は、ＨＩＳ／ＲＩＳ１２０の端末上で撮影オーダを入力する。具体的には、医師は、撮影の対象となる被検者を決定し、撮影部位及び撮影条件等を決定する。また、医師は、撮影に用いるモダリティの種類や、検査実施日、検査実施時刻等も入力しておく。こうして、図５に示される撮影オーダ情報が作成され、ＨＩＳ／ＲＩＳ１２０に記録される。図５の撮影オーダ情報には、上腕骨Ａ−Ｐ撮影、上腕骨Ｌ−Ｒ撮影、及びＫＵＢ  Ａ−Ｐ撮影がこの順で行われることが示されている。
【００３２】
ステップＳ１００において、撮影オーダ受信部５０は、ＨＩＳ／ＲＩＳ１２０から撮影オーダ情報を取得する。この撮影オーダ情報は、図５を参照しながら説明したように、被検者を特定する情報と撮影条件を特定する情報とを含む、１以上の撮影指示を含んでおり、こうして撮影指示取得が行われる。このステップにおいて、Ｘ線撮影装置１００の操作者である放射線技師又は医師等は、回診に行く前にＸ線撮影装置１００のネットワーク接続部８０に院内ネットワークケーブルを接続する。Ｘ線撮影装置１００は、ネットワークケーブルを介してＨＩＳ／ＲＩＳ１２０と通信することができる。この状態で、図３に示す選択画面においてリスト更新ボタン２１が押されると、撮影オーダ受信部５０は、ネットワーク１１０を介して、撮影オーダ取得イベントをＨＩＳ／ＲＩＳ１２０へと通知する。
【００３３】
この撮影オーダ取得イベントは、ＨＩＳ／ＲＩＳ１２０が撮影オーダ情報を撮影オーダ受信部５０へと送信するためのトリガとして働く。撮影オーダ取得イベントは、取得したい撮影オーダを絞り込むための絞り込みキーを伴って通知されてもよい。例えば、検査日、検査開始時刻、又はモダリティ種別等を絞り込みキーと用いることができる。ＨＩＳ／ＲＩＳ１２０は、撮影オーダ取得イベントに応じて、ＨＩＳ／ＲＩＳ１２０に登録されている撮影オーダのうち、絞り込みキーに対応する情報を有する撮影オーダのリストを、Ｘ線撮影装置１００へ転送する。
【００３４】
ステップＳ１０１において、撮影オーダ受信部５０は、ＨＩＳ／ＲＩＳ１２０から送られてきた撮影オーダのリストを全て受信したか否かを判定する。受信が完了していれば、処理はステップＳ１０２に進む。受信が完了していなければ、受信が完了するまでステップＳ１０１における判定が繰り返される。
【００３５】
ステップＳ１０２において、過去画像取得部５１は、被検者を撮影して得られた画像を取得するイベントを、ＰＡＣＳ１３０に対して発行する。ステップＳ１０３において、過去画像受信部５２は、被検者を撮影して得られた画像（過去画像）をＰＡＣＳ１３０から受信する。こうして、過去画像受信部５２は、Ｘ線撮影装置１００が受信している撮影条件のうち１以上に対応する、過去に撮影されたＸ線画像（過去画像）を、ＰＡＣＳ１３０から取得する。本実施形態において、過去画像の取得は、撮影オーダが受信された直後に行われる。また、本実施形態において、過去画像の取得は、撮影オーダが受信された後に、操作者等の外部からの指示を受けることなく行われる。本実施形態において、過去画像受信部５２は、過去に被検者を撮影して得られたＸ線画像を取得するものとするが、取得する画像はＸ線撮影の参考になる画像であれば特に限定されない。
【００３６】
本実施形態においては、過去画像受信部５２は、ステップＳ１０１で取得した撮影オーダに含まれる撮影条件に対応する過去画像を、ＰＡＣＳ１３０から取得する。具体的には、過去画像受信部５２は、ステップＳ１００で受信された撮影オーダに含まれる撮影指示により特定された被検者及び撮影条件に対応するＸ線画像を、選択的にＰＡＣＳ１３０から取得する。しかしながら、過去画像受信部５２は、過去にＸ線撮影装置１００が受信した撮影オーダに含まれる撮影条件に対応する過去画像を取得してもよい。
【００３７】
具体的には、過去画像取得部５１は、過去画像及び撮影情報を取得するイベントを、ＰＡＣＳ１３０に対して送る。例えば、図３に示すように、鈴木花子、山田太郎、田中次郎の３人についての撮影オーダをステップＳ１００において取得した場合を考える。この場合、過去画像取得部５１は、それぞれの被検者について、オーダされている撮影条件に従って撮影された過去画像及びその撮影情報を取得するイベントを発行する。ＰＡＣＳ１３０はイベントの内容を解釈して、依頼されている過去画像及びその撮影情報を画像サーバから見つけ出し、過去画像受信部５２へと転送する。
【００３８】
過去画像受信部５２は、ステップＳ１０１で取得した撮影オーダに示される被検者について、ステップＳ１０１で取得した撮影オーダに示される撮影条件を用いて過去に撮影されたＸ線画像を、ＰＡＣＳ１３０から取得する。過去画像受信部５２はさらに、過去画像についての被検者及び撮影条件を示す撮影情報を、ＰＡＣＳ１３０から取得する。もっとも、過去画像の撮影条件が、撮影オーダに示される撮影条件と完全に一致していることは必須ではない。例えば、過去画像受信部５２は、撮影条件の一致度がより高い過去画像をＰＡＣＳ１３０から取得してもよい。図５の例を参照すると、患者名、プロトコル名、モダリティ種別、及び撮影種別については、過去画像の撮影条件と撮影オーダの撮影条件とが一致することが通常要求される。一方で、詳細条件は完全に一致する必要はない。また、検査日時については一致する必要はない。本実施形態においては、少なくとも患者名と撮影部位とが一致する過去画像が、撮影指示により特定された被検者及び撮影条件に対応するＸ線画像として取得される。しかしながら、別の実施形態においては、別の基準に基づいてＸ線画像が取得されてもよい。
【００３９】
なお、医療画像の通信において使用されるＤＩＣＯＭ規格では、被検者情報及び撮影情報がタグとして付加された画像ファイルが扱われる。このため、ＤＩＣＯＭ規格下では、過去画像を取得すれば、同時に被検者情報及び撮影情報も得られる。以下では、過去画像に被検者情報及び撮影情報が付加されているものとする。
【００４０】
ここで、立位撮影、臥位撮影、及びカセッテを用いた撮影では、ＳＯＤの値が異なるため、それぞれの撮影で得られた撮影画像の拡大率は異なる。そこで、過去画像受信部５２は、今回の撮影条件により近いＳＯＤで撮影された過去画像を取得してもよい。具体的には、過去画像受信部５２が過去画像を取得するイベントに希望するＳＯＤの値を追記することにより、追記した値により近いＳＯＤが撮影情報として記録されている過去画像がＰＡＣＳ１３０から送信される。
【００４１】
ステップＳ１０３において、過去画像管理部５３は、ＰＡＣＳ１３０から取得した過去画像及び撮影情報を過去画像記憶部７１に格納する。過去画像管理部５３は、過去画像記憶部７１に格納されている過去画像を、参照用画像として撮影時に呼び出すことができる。ステップＳ１０２で取得した過去画像が既に撮影画像記憶部７０に記憶されている場合は、過去画像管理部５３は、画像を二重に記憶しないために、取得した過去画像を過去画像記憶部７１に格納しなくてもよい。画像が同一であるか否かの判断は、例えば過去画像に付加された被検者情報及び撮影情報等を参照して行うことができる。また、過去画像管理部５３は、メモリ使用量を減らすため、過去画像に対して圧縮処理を施したり、過去画像の画素数を間引いて保存したりしてもよい。
【００４２】
本実施形態においては、ステップＳ１００においてＨＩＳ／ＲＩＳ１２０から撮影オーダのリストを受信したタイミングで、過去画像と撮影情報とを取得した。しかしながら、別のタイミングで過去画像と撮影情報とを取得してもよい。例えば、操作者の指示に従って過去画像と撮影情報とを取得してもよい。一例として、図３に示す選択画面で、操作者は、１以上の撮影条件又は被検者情報を選択し、不図示の過去画像取得ボタンを押すことができる。この場合に、選択された撮影条件、又は選択された被検者について行うことが指示されている撮影条件に対応する、過去画像と撮影情報とが取得されてもよい。この場合、行おうとする撮影において必要な過去画像のみを取得することができるので、過去画像を取得するのに要する時間を短縮することができ、またメモリの効率的な使用が可能になる。
【００４３】
また、過去画像管理部５３は、条件に合致する撮影情報を有する過去画像のみを、過去画像記憶部７１に記憶してもよい。本実施形態において、Ｘ線撮影装置１００はカセッテ型の装置を用いたＸ線撮影を行うことができる。一方で、本実施形態におけるＸ線撮影装置１００は、立位撮影には用いられない。したがって、撮影情報において撮影種別が立位であることが示されている過去画像を、Ｘ線撮影装置１００で参照する必要はないことが考えられる。そこで、過去画像管理部５３は、撮影種別がカセッテであることが示されている過去画像のみを、過去画像記憶部７１に記憶することができる。
【００４４】
過去画像管理部５３は、過去画像を過去画像記憶部７１に記憶するか否かを、撮影オーダを参照して行ってもよい。具体的には、過去画像管理部５３は、撮影条件が所定の条件に合致するＸ線画像のみを、過去画像記憶部７１に記憶してもよい。例えば、図５に示す撮影オーダには、３番目の撮影条件としてＫＵＢ  Ａ−Ｐ撮影が含まれているが、撮影種別は立位でありカセッテではない。そこで、過去画像管理部５３は、３番目の撮影条件に対応して取得された過去画像を、過去画像記憶部７１に記憶しないことを決定してもよい。一方で、過去画像管理部５３は、撮影種別がカセッテであることが示されている１番目及び２番目の撮影条件に対応して取得された過去画像を、過去画像記憶部７１に記憶することができる。
【００４５】
別の実施形態において、過去画像受信部５２は、撮影条件が所定の条件に合致する撮影指示を抽出し、抽出された撮影指示により特定された被検者及び撮影条件に対応するＸ線画像を、選択的に取得するイベントを発行してもよい。具体的には、過去画像取得部５１は、撮影種別がカセッテであることが示されている１番目及び２番目の撮影条件に対応する過去画像のみを送信することを依頼してもよい。このように、撮影オーダ又は撮影情報を参照して、撮影時に用いられる過去画像を取得及び保存することにより、効率よくメモリを使用でき、かつ撮影時に適切な過去画像を参照することが可能となる。
【００４６】
ステップＳ１０４において、検査が開始される。ステップＳ１０３までに必要な撮影オーダ及び対応する過去画像の取得が完了すると、ネットワークケーブルがネットワーク接続部８０から抜かれる。そして、Ｘ線撮影装置１００は、撮影対象の被検者が待機している部屋、例えば病室へと運ばれる。操作者は、病室で被検者を確認しながら、図３の被検者リスト２０から撮影する被検者を選択する。
【００４７】
操作者が撮影開始ボタン２２を押すと、Ｘ線撮影装置１００は撮影可能状態に移行する。すると、操作・表示部６２には、図４で示される画面が表示される。操作者は、撮影条件ボタン３１を押すことにより、撮影条件を選択する。図５に示したように撮影条件には被検者情報が結びつけられており、撮影条件と被検者情報との組み合わせは撮影指示に対応するから、撮影条件を選択することは、撮影指示を選択する指示選択を行うことに対応する。操作・表示部６２は、撮影条件についての操作者による選択に従って、撮影オーダに含まれる撮影指示から１つを選択する。撮影条件表示領域３５には、選択された撮影条件である上腕骨Ａ−Ｐの撮影条件が表示される。
【００４８】
ステップＳ１０５において、過去画像呼出部５４は、選択された撮影条件に対応する過去画像及びその撮影情報を、過去画像記憶部７１又は撮影画像記憶部７０から取得する。本実施形態において、過去画像の取得は、操作者が過去画像呼び出しボタン４０を押すことに応じて開始される。過去画像呼出部５４は、ステップＳ１０２と同様に、選択されている被検者について、選択された撮影条件に従って撮影された過去画像及びその撮影情報を取得する。すなわち、同一の被検者について、同一の部位について、同一の方法で撮影された過去画像を選択することができる。ここで、選択されている被検者及び選択された撮影条件は、選択された撮影指示により特定された被検者及び撮影条件に相当する。ステップＳ１０５における、選択された撮影条件に対応する過去画像の選択は、過去画像についての撮影情報を参照して、ステップＳ１０２と同様に行うことができる。上述したように、過去画像は、ステップＳ１０４において撮影指示が選択される前に、既に過去画像記憶部７１又は撮影画像記憶部７０に格納されている。
【００４９】
もっとも、過去画像管理部５３は、過去画像受信部５２が受信した、撮影条件に対応する過去画像を、撮影条件に関連づけて過去画像記憶部７１に格納することもできる。この場合、過去画像呼出部５４は、選択された撮影条件に対応づけられた過去画像を過去画像記憶部７１から取得することができる。
【００５０】
過去画像呼出部５４は、操作・表示制御部６０に対して、取得した過去画像を画像表示領域３３に表示させることにより、取得した過去画像を操作者に提示する。また、過去画像呼出部５４は、操作・表示制御部６０に対して、取得した撮影情報を過去撮影条件表示領域４１に表示させることにより、取得した撮影情報を操作者に提示する。
【００５１】
過去画像記憶部７１と撮影画像記憶部７０との双方に選択された撮影条件に対応する過去画像がある場合や、又は過去画像記憶部７１若しくは撮影画像記憶部７０に選択された撮影条件に対応する２以上の過去画像がある場合も考えられる。このような場合には、過去画像呼出部５４は最新の過去画像を選択することができる。また、過去画像呼出部５４は、操作・表示制御部６０に、操作・表示部６２上に選択ダイアログを表示させ、表示する過去画像を操作者に選択させてもよい。
【００５２】
操作者は、過去画像を参考にして、過去の撮影の際と同じ位置になるように、被検者１０９をＸ線検出装置１７２に対してポジショニングする。上腕骨Ａ−Ｐ撮影では、比較読影しやすいように、骨折部分をサポートする金属プレートの方向が同じになるように被検者１０９の位置を合わせる。また、過去撮影条件表示領域４１に表示された過去の撮影条件を参考にして、操作者は、今回の撮影条件が適正であるかを確認することができる。また、操作者は、Ｘ線管球１７１を移動させることによって被検者と管球との位置関係を適正にすること、及び対象部位以外にＸ線が照射されないように照射野絞りを調整することができる。
【００５３】
一方で、Ｘ線撮影装置１００が撮影可能状態に移行すると、画像取込制御部５５は、固体撮像素子に対して制御信号を送り、電圧を印加する。こうして、画像取込制御部５５は、入射したＸ線を検知できる状態となるように固体撮像素子を制御し、メッセージ・状態表示領域３０に、撮影準備が完了したことを示す表示「Ｒｅａｄｙ」を表示させる。
【００５４】
また、選択画面で選択された撮影条件に対応する各種パラメータ、又は撮影条件変更ボタン３６を用いて変更された撮影条件に対応する各種パラメータに従って、Ｘ線撮影装置制御部５７は、Ｘ線撮影装置１００の各部を制御する。こうして、Ｘ線発生ユニット及びＸ線検出ユニットは、指定されたパラメータに従う撮影が可能な状態で待機するように制御される。ここで、各種パラメータには、撮影パラメータ、画像処理パラメータ、補正処理パラメータ、ジェネレータ設定パラメータ等が含まれる。
【００５５】
ステップＳ１０６において、Ｘ線照射及びＸ線画像取得が行われる。本実施形態において、操作者は、操作・表示部６２の近傍に据え付けられているＸ線照射ボタン（不図示）を押す。このＸ線照射ボタンはＸ線管球１７１によりＸ線を発生させるトリガとなるものであり、操作者がＸ線照射ボタンを押下することで照射信号が発生する。発生した照射射信号は、まず画像取込制御部５５へと供給される。照射信号を受けた画像取込制御部５５は、固体撮像素子がＸ線管球１７１からのＸ線を検知できる状態となっているか否かを、固体撮像素子からの駆動通知信号を参照して確認する。その後、画像取込制御部５５は照射許可信号を照射スイッチに対して送る。この照射許可信号により、照射許可スイッチがオンになり、すると照射ボタンで発生した照射信号がＸ線発生装置制御部６１へと供給される。本実施形態においては、Ｘ線照射ボタンは２つのスイッチを有し、Ｘ線照射ボタンの第２のスイッチを押した際に照射信号が発生する。
【００５６】
Ｘ線発生装置制御部６１は、照射信号を受けると、Ｘ線管球１７１に対して照射信号を送る。こうして、Ｘ線管球１７１からＸ線が発生する。この時、Ｘ線発生装置制御部６１は、指定されたパラメータに従ってＸ線を照射するように、Ｘ線管球１７１を制御する。Ｘ線発生装置制御部６１は、パラメータにより規定された時間だけ、Ｘ線を照射するようにＸ線管球１７１を制御することができる。一方で、選択された領域においてＡＥＣ装置によって検出されたＸ線信号の総和が、予め設定された一定量になった時には、Ｘ線発生装置制御部６１は、Ｘ線管球１７１からのＸ線発生を遮断する。
【００５７】
Ｘ線管球１７１からのＸ線は、照射野絞り（不図示）により絞られて、被検者１０９、グリッド（不図示）を透過してシンチレーター（不図示）へと入射する。そして、Ｘ線に由来してシンチレーターから生じた光によって表される被検者１０９の透過像が、固体撮像素子に結像する。そして、固体撮像素子での光電変換により画像信号が得られる。この画像信号は、Ａ／Ｄ変換器にてディジタル化され、ディジタル画像信号として画像取込制御部５５により取り込まれる。このようにして、過去画像を操作者に提示した後に、撮影指示（被検者情報及び撮影条件）によって指定されたパラメータ、操作者によって指定されたパラメータ、及びユーザの制御に従い、Ｘ線発生ユニット及びＸ線検出ユニットはＸ線画像を撮影する。
【００５８】
画像処理部５６は、取り込まれた画像に対して、各種の画像処理を行う。画像処理には、センサを構成する光電変換素子間のばらつきを補償する処理、センサ素子感度の経時的変化を補償する処理、散乱線補正処理、及びグリッド補正処理等が含まれる。また、こうして得られた画像に対して、着目部位を抽出する処理、照射野を抽出する処理、及びＸ線の素抜け部分（被写体に当たらなかったＸ線に対応する画像部分）を抽出する処理、等も行われる。さらには、抽出された照射野領域に基づいて画像を所望の大きさに切り出す処理、及び所望の濃度特性曲線を用いて階調補正を行うことにより所望の階調の画像を生成する処理等が行われる。画像処理部５６により作成された撮影画像は、操作・表示部６２に表示される。例えば、画像表示領域３３に撮影画像を表示することができる。もっとも、既に表示されている過去画像と、画像処理部５６により作成された撮影画像とを、比較のために同時に表示してもよい。また、画像処理部５６は、作成された撮影画像を、撮影情報とともに撮影画像記憶部７０に格納する。画像処理部５６は、さらに、ポジショニング合わせの参考にするために、切り出し処理を行う前の撮影画像を撮影画像記憶部７０に格納してもよい。
【００５９】
ステップＳ１０７において、操作者は、撮影画像を確認することにより、適正な撮影画像が得られたか否かを判断する。例えば、撮影画像を参照することで、被写体がぶれていないか、粒状性は適正なレベルにあるか、被検者の姿勢が正しいか、コントラストは適正か、濃度は適正か、等を確認することができる。撮影画像が適正ではない場合には、操作者は、再度Ｘ線撮影をやりなおしたり、画像処理部５６が用いる画像処理パラメータを調整したりすることができる。再度Ｘ線撮影が必要であると判定された場合、操作者は、操作・表示部６２を介して、再度Ｘ線撮影を行うことをＸ線撮影装置１００に指示する。この場合、処理はステップＳ１０５に戻る。操作者が適正な撮影画像が得られたと判断した場合には、処理はステップＳ１０８に進む。Ｘ線撮影装置１００は、操作者から再度Ｘ線撮影を行う指示が行われない場合には適正な撮影画像が得られたと判断してもよいし、操作者に対して適正な撮影画像が得られたか否かを示す入力を行うように要求してもよい。
【００６０】
ステップＳ１０８において、選択された被検者について全ての撮影が終了しているか否かを判定する。図４の例においては、上腕骨Ａ−Ｐ撮影と上腕骨Ｌ−Ｒ撮影との双方が完了していると判定した場合、操作者は撮影終了ボタン３９を押す。すると、Ｘ線撮影装置１００は、全ての撮影が終了していると判定し、処理はステップＳ１０９に進む。こうして、選択された被検者についての撮影が終了する。全ての撮影が終了していない場合、操作者はまだ撮影されていない撮影条件に対応する撮影条件ボタン３１を押す。すると、Ｘ線撮影装置１００は、全ての撮影が終了していないと判定し、処理はステップＳ１０５に戻る。
【００６１】
操作者は、ステップＳ１０４〜１０８を繰り返すことにより、各病室の患者について撮影を行うことができる。撮影が終了した後、ステップＳ１０９において、操作者はネットワークが接続できる場所までＸ線撮影装置１００を移動する。そして、操作者は、ネットワークケーブルをネットワーク接続部８０に接続することにより、Ｘ線撮影装置１００をネットワーク１１０に接続する。ネットワーク接続をすると、画像転送部５８は、撮影された撮影画像及びその撮影情報を撮影画像記憶部７０から読み出し、ＰＡＣＳ１３０へと送信する。こうして、撮影画像はＰＡＣＳ１３０に格納され、再度撮影する際に過去画像として参照のために用いることができる。画像転送部５８はまた、読み出した撮影画像をプリンタ１４０へと出力してもよい。
【００６２】
ステップＳ１１０において、過去画像管理部５３は、過去画像記憶部７１に格納されている過去画像を削除することができる。例えば、過去画像管理部５３は、画像を撮影する際に参照された過去画像を削除することができる。具体的には、撮影指示に従ってＸ線画像が撮影された後に、過去画像管理部５３は、撮影指示により特定された被検者及び撮影条件に対応する過去画像を、過去画像記憶部７１から削除することができる。別の実施形態において、過去画像管理部５３は、撮影オーダ受信部５０が受信した撮影オーダのうち、まだ撮影が行われていない撮影条件に対応する過去画像を除き、過去画像記憶部７１に格納されている過去画像を削除することができる。過去画像のファイルサイズは大きいことが多く、不要な過去画像を保存したままにするとメモリを圧迫するが、必要の無い過去画像を削除することにより、メモリを効率よく使用することが可能になる。
【００６３】
以上では、Ｘ線撮影装置１００として、ネットワークと常時接続できない可搬型のＸ線撮影装置を用いる場合について説明した。しかしながら、無線ＬＡＮによりネットワークと接続可能なＸ線撮影装置においても、本実施形態の方法は有効に利用できる。例えば、無線ＬＡＮを搭載した装置を無線が届かない場所で利用する場合又は無線が使えない部屋で使用する場合でも、撮影オーダ受信時に対応する過去画像を取得することにより、過去画像を参照しながら撮影を行うことができる。
【００６４】
また、据え置きタイプのＸ線撮影装置のような、常時ネットワークに接続されているＸ線撮影装置においても、本実施形態の方法は有効に利用できる。例えば、撮影開始ボタン２２を押下した後に過去画像を取得しようとしても、ネットワークのトラフィック又は画像サーバの性能等の影響によりレスポンスが遅いことがあり、これは被検者を待たせてしまうことにつながる。一方で、撮影オーダ受信時に対応する過去画像を取得することにより、検査に要する時間が長くなることを防止できる。
【００６５】
本実施形態においては、Ｘ線撮影装置１００は静止画を撮影する装置であるものとして説明した。しかしながら、Ｘ線撮影装置１００が透視を行うための装置又は動画を撮影する装置であっても、同様の効果が得られる。
【００６６】
以上説明した本実施形態によれば、回診前に撮影オーダを読み込む際に、過去に撮影された撮影画像を取得及び格納することができる。したがって、撮影時のネットワーク環境にかかわらず、過去の撮影画像を確認することができるため、適切な撮影が容易となる。また、撮影の後に過去画像が削除されるので、画像を保持するメモリを効率よく使用できる。
【００６７】
［実施形態２］
図７は、実施形態２に係るＸ線撮影装置１００と、Ｘ線撮影装置１００が接続される院内のネットワーク１１０とを示す。図１に示す、実施形態１に係るＸ線撮影装置１００と同様の構成については、同じ参照符号が付されている。以下では、実施形態１と同様の構成については、詳細な説明を省略する。
【００６８】
本実施形態に係るＸ線撮影装置１００は、参照画像記憶部７２を有している。参照画像記憶部７２は、それぞれの撮影条件により撮影されるＸ線画像の例を示す参照画像を記憶している。参照画像は、例えば、撮影部位及び撮影手技に対応したお手本となるＸ線画像でありうる。初診の場合など、被検者に対して初めてのＸ線撮影を行う場合、対応する過去画像が存在しないため、過去画像を参照することができます。本実施形態では、このような場合には過去画像の代わりに参照画像を表示することにより、最適な被検者のポジショニング、管球位置の設定、及び撮影条件の設定が容易となり、読影しやすい画像を容易に撮影することが可能となる。
【００６９】
図８は、本実施形態における処理のフローチャートを示す。ステップＳ２００及びＳ２０１以外の処理は実施形態１と同様であり、同じ参照符号が付されている。これらの処理については、詳細な説明を省略する。
【００７０】
ステップＳ２００の処理は、操作者が過去画像呼び出しボタン４０を押すことに応じて開始される。過去画像呼出部５４は、選択されている被検者について、選択された撮影指示により特定された被検者及び撮影条件に対応するＸ線画像が、過去画像記憶部７１に格納されているか否かを判定する。例えば、過去画像呼出部５４は、選択された撮影条件に従って撮影された過去画像が、過去画像記憶部７１に格納されているか否かを判定することができる。ここで、選択されている被検者について、選択された撮影条件に従って撮影された過去画像とは、実施形態１において過去画像呼出部５４により過去画像記憶部７１から取得される過去画像のことを指す。このような過去画像が格納されている場合には、処理はステップＳ１０５に進み、過去画像呼出部５４は、実施形態１と同様に過去画像記憶部７１から過去画像を取得する。このような過去画像が格納されていない場合、処理はステップＳ２０１に進む。
【００７１】
ステップＳ２０１において、過去画像呼出部５４は、選択された撮影条件に対応する参照画像を、参照画像記憶部７２から読み出す。参照画像記憶部７２には、予め、撮影条件に対応づけて、複数の参照画像が格納されている。
【００７２】
本実施形態によれば、被検者の過去画像がない場合でも、撮影時の参考になる参照画像が表示されるため、適切な撮影を行うことができる。また、経験の浅い技師が慣れない撮影技法で撮影を行う場合にも、本実施形態の方法は有効である。さらなる実施形態においては、過去画像が存在する場合であっても、過去画像と参照画像とを同時に表示してもよいし、過去画像が適切でない場合に操作者の指示に従って参照画像を呼び出してもよい。
【００７３】
本実施形態は、複数の参照画像が予め参照画像記憶部７２に記憶されていることを前提にして説明された。また、本実施形態は、被検者及び撮影条件に対応する撮影画像がＰＡＣＳ１３０から取得できない場合には、過去画像受信部５２は撮影画像を取得しないことを前提にして説明された。しかしながら、過去画像受信部５２は、過去画像の代わりに、又は過去画像に加えて、被検者及び撮影条件に対応する参照画像をＰＡＣＳ１３０等の外部装置から取得してもよい。
【００７４】
例えば、過去画像受信部５２は、被検者及び撮影条件に対応する撮影画像がＰＡＣＳ１３０から取得できない場合には、過去画像の代わりに、撮影条件に対応する参照画像をＰＡＣＳ１３０から取得し、参照画像記憶部７２に格納することができる。すなわち、過去画像受信部５２は、撮影指示により特定された被検者及び撮影条件に対応するＸ線画像がＰＡＣＳ１３０に存在しない場合に、撮影指示により特定された撮影条件に対応する参照画像をＰＡＣＳ１３０から取得できる。この場合、撮影を行う際に、取得できなかった過去画像の代わりに参照画像を表示することができる。また、過去画像受信部５２は、常に、過去画像に加えて、撮影条件に対応する参照画像をＰＡＣＳ１３０から取得し、参照画像記憶部７２に格納することができる。この場合、過去画像が適切でない場合に代わりに参照画像を表示すること、及び過去画像と参照画像とを同時に表示することが可能となる。
【００７５】
この場合、過去画像管理部５３は、ステップＳ１１０において、過去画像と同様にして、参照画像を削除することができる。このような構成によれば、撮影の際に参照される参照画像のみがメモリに格納されるため、メモリを効率的に使用することが可能となる。
【００７６】
［実施形態３］
図９は、実施形態３に係るＸ線撮影装置を示す。実施形態１，２においては、Ｘ線撮影装置１００は、ネットワーク１１０を介して過去画像を取得した。本実施形態においては、複数のＸ線撮影装置１００のそれぞれが、互いに撮影された画像を転送しあい、転送された画像を撮影画像記憶部７０に記憶する。このような構成によれば、他のＸ線撮影装置１００から転送され、撮影画像記憶部７０に記憶された画像を、過去画像として撮影時に参照のために用いることができる。
【００７７】
図９の例においては、Ｘ線撮影装置１００を搭載する回診車１５０は、撮影した画像を、Ｘ線撮影装置１００を搭載する回診車１６０へと送信する。本実施形態に係るＸ線撮影装置１００は、新規撮影画像転送部８１及び画像受信部８２を有することを除いては、実施形態１に係るＸ線撮影装置１００と同様であり、詳細な説明は省略する。回診車１５０のネットワーク接続部８０と回診車１６０のネットワーク接続部８０とをネットワークケーブルで接続することにより、回診車１５０と回診車１６０とは通信を行うことができる。
【００７８】
回診車１５０の新規撮影画像転送部８１は、転送先に対してまだ転送していない撮影画像を、ネットワーク接続部８０を介して転送先へと転送する。図９の例においては、新規撮影画像転送部８１は、回診車１６０に対して転送済みであることを示すフラグが付されていない画像を、撮影画像記憶部７０から抽出し、回診車１６０へと転送する。
【００７９】
回診車１６０の画像受信部８２は、回診車１５０から転送された撮影画像を受信し、撮影画像記憶部７０に保存する。
【００８０】
このような本実施形態の構成によれば、互いに接続される複数のＸ線撮影装置、例えば回診車１５０及び回診車１６０は、自身が撮影した撮影画像と、他の装置が撮影した撮影画像と、の双方を持つことができる。このため、他のＸ線撮影装置で撮影された過去画像を撮影の際に表示することが可能となり、適切な撮影を行うことが容易となる。
【００８１】
図１０〜図１３を参照しながら、回診車１５０又はＸ線撮影装置１００の構成を説明する。図１０（Ａ）（Ｂ）は、本発明を適用したＸ線撮影装置の一実施形態の構成を示している。このＸ線撮影装置は、移動型のＸ線撮影装置である。Ｘ線撮影装置は、Ｘ線管球１００６と、Ｘ線管球１００６を保持し任意の位置に配置可能な管球アーム１００７と、管球アーム１００７に接続されたＸ線管球１００６と管球アーム１００７とを昇降及び旋回させる支柱部とを有している。この支柱部は、複数の支柱により構成されている。支柱の昇降機構には、直動（直線運動）のガイドとなるスライドレール１０２２と、直動送りのための送りネジ１０２７とが含まれる。また、支柱の昇降機構には、電動機として働くアクチュエータ１０２４、及びアクチュエータ１０２４からの動力を伝達する接続部材であるアクチュエータギア１０２５も含まれる。
【００８２】
図１０に示す移動型のＸ線撮影装置は、一般的に回診車と呼ばれている。回診車が備える電源内蔵移動台車１００１には、バッテリー等が搭載されており、回診車は任意の場所で使用可能である。回診車は、移動動力を与え及び重量を支える前輪１０１２及び駆動輪１０１３を備える。また、回診車は、電源内蔵移動台車１００１の上にＸ線及びシステム制御部１００２を備えており、このＸ線及びシステム制御部１００２はＸ線高電圧発生装置、Ｘ線制御装置、及び制御盤を備えている。Ｘ線及びシステム制御部１００２は、回診車の移動時に、管球アーム１００７を保持する機能も備えている。移動型のＸ線画像撮影装置は、操作者が移動用ハンドル１０１１を握り、不図示の移動用ハンドルスイッチをＯＮにすることで、移動可能な状態になる。
【００８３】
図１１に基づいて支柱部の構成例を説明する。操作者は、回診車を移動させる時に持っていた移動用ハンドル１０１１を離してから、コリメータハンドル１００９を持ち、コリメータハンドル１００９を上方に引き上げる軽い力を加える。すると、スライドブロック１０２３に内蔵された荷重検出センサ１０３３から得られる測定値が変化する。この情報がＸ線及びシステム制御部１００２に伝えられると、Ｘ線及びシステム制御部１００２は、操作者はコリメータハンドル１００９を上方に持ち上げようとしていると判断する。そして、Ｘ線及びシステム制御部１００２は、第一支柱１００３のアクチュエータ１０２４と、第二支柱１００４のアクチュエータ１０２４と、の少なくとも一方について、アクチュエータ回転方向１０３１を決定し、及び作動力を与える。例えば、Ｘ線及びシステム制御部１００２は、第一支柱１００３と第二支柱１００４との双方のアクチュエータ１０２４について、アクチュエータ回転方向１０３１を決定し、及び作動力を与えることができる。アクチュエータ１０２４による回転駆動力は、アクチュエータギア１０２５を介して送りネジ１０２７に伝わる。送りネジ１０２７の回転は、送りネジナット１０２８を上方に移動させ、同時に送りネジナット１０２８と連結部材１０３０を介して接続されたスライドブロック１０２３も上方に移動させる。このスライドブロック１０２３は、移動抵抗が軽減された状態で、スライドレール１０２２に沿って昇降するように構成されている。第一支柱１００３のスライドブロック１０２３の上方への移動により、支柱接続部材１０４３を介してスライドブロック１０２３に接続された第二支柱１００４は上方に移動する。また、第二支柱１００４のスライドブロック１０２３の上方への移動により、Ｘ線管支持アーム１００５は上方に移動する。
【００８４】
Ｘ線管支持アーム１００５の移動を停止させる場合、操作者は、コリメータハンドル１００９に加えた力を解放する。この場合、スライドブロック１０２３に内蔵された荷重検出センサ１０３３に対する操作負荷力はゼロになり、荷重検出センサ１０３３から得られる測定値は、自重のみを示す。この情報がＸ線及びシステム制御部１００２に伝えられると、Ｘ線及びシステム制御部１００２は、移動を止めることを決定する。続いて、Ｘ線及びシステム制御部１００２は、第一支柱１００３のアクチュエータ１０２４と、第二支柱１００４のアクチュエータ１０２４と、の少なくとも一方について、作動力をゼロにさせる。例えば、Ｘ線及びシステム制御部１００２は、第一支柱１００３と第二支柱１００４との双方のアクチュエータ１０２４について、作動力をゼロにさせることができる。アクチュエータ１０２４の回転停止力は、アクチュエータギア１０２５を介して送りネジ１０２７に伝わる。送りネジ１０２７が回転を停止することに従い、送りネジナット１０２８も停止し、同時に送りネジナット１０２８と連結部材１０３０を介して接続されたスライドブロック１０２３も停止する。すなわち、第一支柱１００３のスライドブロック１０２３が停止することにより、このスライドブロック１０２３に支柱接続部材１０４３を介して接続された第二支柱１００４も停止する。また、第二支柱１００４のスライドブロック１０２３が停止することにより、このスライドブロック１０２３に接続されたＸ線管支持アーム１００５も停止する。
【００８５】
Ｘ線管支持アーム１００５を下方に引き下げる場合、操作者は、コリメータハンドル１００９を下方に引き下げる軽い力を加える。するとスライドブロック１０２３に内蔵された荷重検出センサ１０３３から得られる測定値が変化する。この情報がＸ線及びシステム制御部１００２に伝えられると、Ｘ線及びシステム制御部１００２は、操作者はコリメータハンドル１００９を下方に下げようとしていると判断する。そして、Ｘ線及びシステム制御部１００２は、第一支柱１００３のアクチュエータ１０２４と、第二支柱１００４のアクチュエータ１０２４と、の少なくとも一方について、アクチュエータ回転方向１０３１を決定し、及び作動力を与える。例えば、Ｘ線及びシステム制御部１００２は、第一支柱１００３と第二支柱１００４との双方のアクチュエータ１０２４について、アクチュエータ回転方向１０３１を決定し、及び作動力を与えることができる。アクチュエータ１０２４による回転駆動力は、アクチュエータギア１０２５を介して送りネジ１０２７に伝わる。送りネジ１０２７の回転は、送りネジナット１０２８を下方に移動させ、同時に送りネジナット１０２８と連結部材１０３０を介して接続されたスライドブロック１０２３も下方に移動させる。第一支柱１００３のスライドブロック１０２３が下方へ移動することにより、支柱接続部材１０４３を介してスライドブロック１０２３に接続された第二支柱１００４は下方に移動する。また、第二支柱１００４のスライドブロック１０２３が下方へ移動することにより、Ｘ線管支持アーム１００５は下方に移動する。
【００８６】
また、Ｘ線管支持アーム１００５の移動速度を変化させるには、操作者は、コリメータハンドル１００９に対して上下方向に加える力を変化させる。すると、スライドブロック１０２３に内蔵された荷重検出センサ１０３３の測定値が加えた力に応じて変化する。この測定値は、Ｘ線及びシステム制御部１００２に伝えられる。Ｘ線及びシステム制御部１００２は、伝えられた測定値に従って、第一支柱１００３のアクチュエータ１０２４と、第二支柱１００４のアクチュエータ１０２４と、の少なくとも一方に対してアクチュエータ回転方向１０３１と測定値に応じた作動力とを与える。このように、Ｘ線管支持アーム１００５の移動速度は、コリメータハンドル１００９に対して加えられた力により変化する。例えば、より大きい力を加えることにより、移動速度をより大きくすることができる。
【００８７】
第二支柱１００４及びＸ線管支持アーム１００５の移動速度は、送りネジ１０２７に接続されている位置及び速度検出器１０５３により検出された送りネジ１０２７の回転位置及び回転速度を参照してクローズド制御される。こうして、適切な移動速度を保ちながら、安全に目的高さまで第二支柱１００４及びＸ線管支持アーム１００５を移動させることができる。
【００８８】
第一支柱１００３の付け根には、支柱旋回軸受け１０４１が配置されている。支柱旋回軸受け１０４１上で軸１０２１を回転させることにより、支柱部全体を旋回させることができる。支柱部全体を旋回させることにより、ベッド上の被検者の上部にある撮影位置までＸ線管球１００６を移動させることができる。そして、被検者とベッドとの間に撮像用のフラットパネルを配置することにより、一連の撮影準備が完了する。
【００８９】
Ｘ線撮影は、一般的なＸ線撮影装置と同様の方法で行うことができる。例えば、操作者は、ディスプレイ１０１０又は他の入力装置を介して撮影条件を設定することができる。その後、操作者が不図示の照射スイッチを押すことにより、Ｘ線管球１００６よりＸ線が照射され、Ｘ線管球１００６の下部にあるコリメーター９により整形されたＸ線が、被検者の体を透過し、撮像用のフラットパネルに到達する。そして、フラットパネルにより、画像の撮像が行われる。この撮影された画像は、不図示の無線又は有線を介してＸ線及びシステム制御部１００２に伝送される。伝送された画像は、ディスプレイ１０１０上で確認することができる。
【００９０】
図１２は、第一支柱１００３と第二支柱１００４との共通部分を図示している。図１２に示されるように、第一支柱１００３の基本構成と第二支柱１００４の基本構成とは共通している。このような構成により、コスト低減やメンテナンス性向上というメリットが得られる。
【００９１】
図１３は、別の実施形態における、第一支柱１００３及び第二支柱１００４の基本構成を示している。図１３に示す基本構成は、図１２に示す基本構成と類似しているが、送りネジ１０２７に接続されていた位置及び速度検出器１０５３の代わりに、アクチュエータ１０２４の軸上に配置された位置及び速度検出器１０５４が設けられている。この構成は、オープン制御に適している。また、第二支柱１００４及び管球アーム１００７の位置保持のために、ブレーキディスク１０５２がアクチュエータギア１０２５の平面部に接触するように設けられている。ブレーキディスク１０５２はブレーキ１０５１により制御される。このような構成を用いて、デッドマン制御により、第二支柱１００４及び管球アーム１００７の位置が固定され、保持される。このような構成により、アクチュエータ１０２４を用いて位置保持を行うために消費される電力をカットすることができ、省エネ化を達成することができる。
【００９２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給する。そして、そのシステム或いは装置のコンピュータ（又はＣＰＵやＭＰＵ等）がプログラムコードを読み出して実行する。この場合、そのプログラム、及び該プログラムを記憶した記憶媒体は本発明を構成することになる。
【符号の説明】
【００９３】
５０  撮影オーダー受信部、５２  過去画像受信部、５４  過去画像呼出部、６２  操作・表示部、７１  過去画像記憶部、１００  Ｘ線撮影装置、１３０  ＰＡＣＳ
【図１】
2015196073.tif 000003
【図２】
2015196073.tif 000004
【図３】
2015196073.tif 000005
【図４】
2015196073.tif 000006
【図５】
2015196073.tif 000007
【図６】
2015196073.tif 000008
【図７】
2015196073.tif 000009
【図８】
2015196073.tif 000010
【図９】
2015196073.tif 000011
【図１０】
2015196073.tif 000012
【図１１】
2015196073.tif 000013
【図１２】
2015196073.tif 000014
【図１３】
2015196073.tif 000015